(57)【要約】【課題】高輝度が得られる放電路制限部を有するガス放電管であって、放電を確実に発生させることのできるものを提供すること。【解決手段】本発明によるガス放電管１０は、ガスが封入された密封容器１２内に配置された陽極部２４と陰極部５２との間で放電を発生させるものであって、陽極部と陰極部との間に配置され、陽極部と陰極部との間の放電路を狭窄する貫通孔４６を有する筒状の放電路制限部２８と、放電路制限部を支持する電気絶縁性の放電路制限部支持部３０とを備えている。放電路制限部の先端部分は、陰極部の側に突き出す円筒状の突出し部４４を有し、この突出し部４４の外径をＤ、突出し部の高さをＨとした場合、Ｄ／Ｈが０．５〜２．０の範囲内にある。この構成では、突出し部の先端近傍に強電界を発生させることができ、これにより始動電圧を低下させ、放電を確実に発生させることを可能とする。【選択図】  図２
2004265625.tif 000002
【特許請求の範囲】
【請求項１】
ガスが封入された密封容器内に配置された陽極部と陰極部との間で放電を発生させることにより、前記密封容器の光出射窓から外部に向けて光を放出させるガス放電管において、
前記陽極部と前記陰極部との間に配置され、前記陽極部と前記陰極部との間の放電路を狭窄する貫通孔を有する筒状の放電路制限部であって、外部電源に電気的に接続されるようになっている導電性の放電路制限部と、
前記放電路制限部を支持する電気絶縁性の放電路制限部支持部と、
を備え、
前記放電路制限部が、前記陰極部の側に突き出す円筒状の突出し部を有し、前記突出し部の外径をＤ、前記突出し部の高さをＨとした場合、前記Ｄ及び前記Ｈの関係Ｄ／Ｈが０．５〜２．０の範囲内にあることを特徴とするガス放電管。
【請求項２】
前記放電路制限部における前記突出し部の外径が１．０〜２．０ｍｍの範囲内であることを特徴とする請求項１に記載のガス放電管。
【請求項３】
前記放電路制限部における前記貫通孔が、前記陽極部の側に設けられ且つ内径が一定である小孔部と、前記小孔部に連設されて前記陰極部の側に延び且つ前記陰極部の側ほど拡径された拡径孔部とからなることを特徴とする請求項１又は２に記載のガス放電管。
【請求項４】
前記拡径孔部の内周面は円錐形であり、前記拡径孔部の深さＡが０．３〜１．３ｍｍの範囲内であり、前記拡径孔部の開口角度θが６０°〜９０°の範囲内であることを特徴とする請求項３に記載のガス放電管。
【発明の詳細な説明】
【０００１】
【発明の属する技術分野】
本発明は、特に分光器やクロマトグラフィ等の光源として利用するための重水素ランプのようなガス放電管に関するものである。
【０００２】
【従来の技術】
従来、上述したような分野の技術としては、下記の特許文献１及び２に示すようなものがある。これらの特許文献に記載のガス（重水素）放電管は、いずれも陽極部と陰極部との間の放電路上に金属製の隔壁を配置し、この隔壁に小孔を形成して、この小孔によって放電路を狭窄させる構成を採っている。かかる構成においては、放電路上の小孔によって高輝度の光を得ることができる。特に、特許文献１に記載のガス放電管では、小孔、すなわち放電路を狭窄させる部分の長さを長くすることで、更に、輝度を高めている。一方、特許文献２に記載のガス放電管は、使用孔の長さを長くすると共に、隔壁を複数枚配置することで、高輝度化を図っている。
【０００３】
【特許文献１】
特開平７−２８８１０６号公報
【０００４】
【特許文献２】
特開平１０−６４４７９号公報
【０００５】
【発明が解決しようとする課題】
ガス放電管の技術分野における高輝度化という要請は、特許文献１及び２に記載の技術により比較的満足されている。
【０００６】
しかしながら、放電路を狭窄させる部分を長くした場合、放電が起こりにくいという問題点がある。この問題点に対して、特許文献２に記載のガス放電管では、金属製隔壁を複数枚配置し、放電を段階的に発生させることで回避しているが、電源回路が複雑化するという問題がある。
【０００７】
そこで、本発明の目的は、放電路を狭窄する部分の長さに拘わらず、放電を確実に発生させることのできるガス放電管を提供することにある。
【０００８】
【課題を解決するための手段】
上記目的を達成するために、本発明は、ガスが封入された密封容器内に配置された陽極部と陰極部との間で放電を発生させることにより、密封容器の光出射窓から外部に向けて光を放出させるガス放電管において、（ｉ）陽極部と陰極部との間に配置され、陽極部と陰極部との間の放電路を狭窄する貫通孔を有する筒状の放電路制限部であって、外部電源に電気的に接続されるようになっている導電性の放電路制限部と、（ｉｉ）放電路制限部を支持する電気絶縁性の放電路制限部支持部とを備え、放電路制限部の先端部分が、陰極部の側に突き出す円筒状の突出し部を有し、この突出し部の外径をＤ、突出し部の高さをＨとした場合、Ｄ及びＨの関係Ｄ／Ｈが０．５〜２．０の範囲内にあることを特徴としている。
【０００９】
このように、放電路制限部が陰極部の方向に対して突き出した形状とし、且つ、Ｄ／Ｈを０．５〜２．０の範囲内とした場合、放電路制限部と陰極部との間の電界が不平等となり、突出し部の先端近傍に強電界を発生させることができ、これにより始動電圧を低下させることができる。これは、始動放電の発生を容易化するものであり、ひいては主放電も確実に発生させることが可能となる。
【００１０】
また、放電路制限部における突出し部の外径を１．０〜２．０ｍｍの範囲内とすることが有効である。この場合、陰極部と放電路制限部との間に発生される始動放電を、放電路制限部の突出し部の先端部、貫通孔近傍のみに効果的に発生させることができる。
【００１１】
更に、放電路制限部における貫通孔を、陽極部の側に設けられ且つ内径が一定である小孔部と、小孔部に連設されて陰極部の側に延び且つ陰極部の側ほど拡径された拡径孔部とから構成することが好ましい。主として小孔部が放電を狭窄する部分として機能し、拡径孔部がその内部で良好なアークボールを形成し、高輝度化に寄与するからである。加えて、拡径孔部の内周面を円錐形とし、拡径孔部の深さＡを０．３〜１．３ｍｍの範囲内、拡径孔部の開口角度θを６０°〜９０°の範囲内とした場合には、より安定したアークボールが形成される。
【００１２】
【発明の実施の形態】
以下、図面を参照して本発明によるガス放電管の好適な種々の実施形態について詳細に説明する。なお、以下の説明において、「上」、「下」等の方向を示す語については各図の状態において言うものとする。
【００１３】
［第１の実施形態］
図１は、本発明によるガス放電管の第１の実施形態を、軸線（管軸）方向に直角な方向に切断して示す端面図である。図１に示すガス放電管１０はサイドオン型の重水素ランプであり、この放電管１０は、重水素ガスが数百Ｐａ程度封入されたガラス製の密封容器１２を有している。この密封容器１２は、一端側を封止した円筒状の側管部１４と、この側管部１４の他端側を封止するステム部（図示せず）とからなり、側管部１４の一部が光出射窓１８として利用されている。この密封容器１２内には発光部組立体２０が収容されている。
【００１４】
発光部組立体２０は、セラミックス等の電気絶縁性のベース部２２を有している。ベース部２２は、光出射窓１８に対向して配置されている。ベース部２２の上方には平板状の陽極部２４が配置されており、この陽極部２４の下面には、ステム部に立設させて管軸（側管の中央軸線）方向に延在するステムピン２６の先端部分が電気的に接続されている。
【００１５】
また、発光部組立体２０は、後述の放電路制限部２８を支持するためのセラミックス等からなる電気絶縁性の板状の放電路制限部支持部（以下「支持部」という）３０を有している。この支持部３０は、ベース部２２の上面に当接させるようにして固定されている。支持部３０は陽極部２４よりも厚く、その中央の下面に、陽極部２４が配置される凹部３２が形成されている。この凹部３２に陽極部２４が配置され、且つ、支持部３０がベース部２２に固着された状態では、陽極部２４はステムピン２６と支持部３０との間で挟持された状態となる。また、支持部３０の中央には開口３４が形成されており、この開口３４が放電路の一部を形成している。
【００１６】
更に、支持部３０の上面には導電板３６が当接配置されている。導電板３６は、ステム部に立設させたステムピン３８の先端部分（図示しない）に電気的に接続されている。この導電板３６の中央には開口４０が形成されており、導電板３６が支持部３０に固定された状態においてこの開口４０は支持部３０の開口３４と同軸に配置され、放電路の一部をなすこととなる。
【００１７】
導電板３６の上面の中央には、陽極部２４からの放電路を狭窄ないしは制限させるために、金属（例えば、モリブデン、タングステン、或いはこれらからなる合金）等の導電性材料から作られた放電路制限部２８が、前記の開口３４，４０と同軸となるよう、溶接固定されている。従って、この放電路制限部２８へは、導電板３６及びステムピン３８を介して外部からの給電が可能となっている。
【００１８】
この放電路制限部２８は、図２に明示するように、円筒状であり、導電板３６側の端部には固定用のフランジ部４２が形成されている。また、放電路制限部２８においてフランジ部４２から上方に突き出している円筒状部分を突出し部４４と称するが、この突出し部４４の外径Ｄは１．０〜２．０ｍｍの範囲内にあることが好ましい。また、突出し部４４の高さないしは突出し量をＨとした場合、突出し部４４の外径Ｄとの関係Ｄ／Ｈは０．５〜２．０の範囲内にあるようにすることが好適である。更に、放電路制限部２８の内側は、放電路を狭窄するための貫通孔４６となっており、この貫通孔４６は、陽極部２４の側に設けられた内径が一定である小孔部４８と、この小孔部４８に連設され上方に延び且つ上方にかけて拡径されたロート状の拡径孔部５０とから構成されている。小孔部４８は主として放電路を狭窄する部分であり、内径ｄは０．５ｍｍ程度とされている。拡径孔部５０はアークボール形成用であり、図示実施形態では、その内周面は円錐面とされている。また、拡径孔部５０の深さ（長さ）Ａは０．５〜１．３ｍｍの範囲内にあり、開口角度θについては６０°〜９０°の範囲内にあるようにすることが好ましい。
【００１９】
また、発光部組立体２０は、光出射窓１８側で光路から外れた位置に配置された陰極部５２を有している。この陰極部５２は、熱電子を発生させるためのものであり、具体的には、管軸方向に延設されたタングステン製のコイル上に電子放射物質を塗布して構成されている。このような陰極部５２は、図示しないが、ステム部に立設させたステムピンの先端部分に接続ピンを介して電気的に接続され、外部から給電が可能とされている。
【００２０】
更に、発光部組立体２０は、陰極部５２から出るスパッタ物又は蒸発物を光出射窓１８に付着させないよう、金属製の放電整流板５４と前面カバー５６とを有している。放電整流板５４は陰極部５２を囲むようにして配置され、支持部３０の上面に固定されている。前面カバー５６は、放電整流板５４に対向して支持部３０の上面に固定されている。放電整流板５４と前面カバー５６との間には、放電光を通過させる光通過口５８が形成されている。また、放電整流板５４の、前面カバー５６に面する部分には開口６０が形成されており、この開口６０を陰極部５２で発生された熱電子が通過するようになっている。
【００２１】
次に、上述したガス放電管１０の動作について説明する。
【００２２】
まず、放電前の２０秒程度の間に陰極用外部電源（図示せず）からステムピン（図示せず）を介して１０Ｗ前後の電力を陰極部５２に供給して、陰極部５２を構成するコイルを予熱させる。次いで、陰極部５２と陽極部２４との間に主放電用外部電源（図示せず）からステムピン２６を介して１６０Ｖ程度の電圧を印加して、アーク放電の準備を整える。
【００２３】
その後、トリガ用外部電源（図示せず）から放電路制限部２８と陽極部２４との間にステムピン３８，２６を介して所定の電圧を印加する。すると、陰極部５２と、陰極部５２の側に突き出した形状とした放電路制限部２８の突出し部４４の先端との間で始動放電が発生する。
【００２４】
ここで、本実施形態においては、放電路制限部２８が、突出し部４４の外径Ｄと高さＨとの関係Ｄ／Ｈを０．５〜２．０の範囲内とするような形状とされているため、放電路制限部２８と陰極部５２との間で不平等電界が形成されることになり、特に突出し部４４の先端の周囲に強電界が発生される。これにより始動放電発生のための始動電圧を低下させることが可能となる。また、突出し部４４の外径Ｄが１．０〜２．０ｍｍの範囲内となっているため、陰極部５２と放電路制限部２８との間に発生される始動放電を、放電路制限部２８の突出し部４４の拡径孔部５０近傍にのみ効果的に発生させることができる。これも、始動放電発生を容易化している。
【００２５】
このようにして始動放電が良好に発生すると、陰極部５２と陽極部２４との間で、主放電用外部電極による主放電（アーク放電）が確実に発生する。主放電が発生した後は、陰極部５２の温度が最適となるように陰極用外部電源からの電力を調整する。これによって陰極部５２と陽極部２４との間で主放電が維持されると共に、放電路制限部２８における突出し部４４の拡径孔部５０内にアークボールが形成される。放電路制限部２８において十分な長さをもって放電が狭窄され、且つ、アークボールが形成されることから、発生する紫外線は、極めて輝度の高い光として、放電整流板５４と前面カバー５６との間の光通過口５８から密閉容器１２の光出射窓１８を透過して外部に放出される。本実施形態では、突出し部４４の拡径孔部５０の内周面が円錐形状とされており、その深さＡを０．５〜１．３ｍｍの範囲内として、且つ、拡径孔部５０の開口角度θを６０°〜９０°の範囲内としているので、形成されるアークボールは安定した良好な形状となる。従って、出射される光の輝度や光量も安定したものとなる。
【００２６】
［第２の実施形態］
図３は、本発明によるガス放電管の第２の実施形態を軸線方向に沿って切断して示す端面図である。このガス放電管１１０はヘッドオン型の重水素ランプであり、この放電管１１０は、重水素ガスが数百Ｐａ程度封入されたガラス製の密封容器１１２を有している。この密封容器１１２は、円筒状の側管部１１４と、この側管部１１４の下端側を封止するステム部１１６と、上端側を封止する光出射窓１１８とからなる。密封容器１１２内には発光部組立体１２０が収容されている。
【００２７】
発光部組立体１２０は、セラミックス等からなる電気絶縁性の円板状のベース部１２２を有している。ベース部１２２は、光出射窓１１８と対向して配置されている。ベース部１１２の上側には陽極部１２４が配置されており、この陽極部１２４には、ステム部１１６に立設させて管軸（側管の中央軸線）方向に延在するステムピン１２６の先端部分が電気的に接続されている。なお、ステムピン１２６はステム部１１６とベース部１２２との間で露出しないよう、セラミックス等からなる電気絶縁性のチューブ１２７により包囲されている。
【００２８】
また、発光部組立体１２０は、セラミックス等からなる電気絶縁性の放電路制限部支持部（支持部）１３０を有している。この支持部１３０は、ベース部１２２の上面に重なるように配置、固定されている。支持部１３０の中央には円形の開口１３４が形成されており、そこに陽極部１２４の主部分が収容されるようになっている。この開口１３４に陽極部１２４の主部分が配置され、且つ、支持部１３０がベース部１２２上に重ねられて固定された状態では、陽極部１２４の周囲部分は支持部１３０とベース部１２２との間で挟持された状態となる。また、支持部１３０の開口１３４は放電路の一部を形成している。
【００２９】
更に、支持部１３０の上面には導電板１３６が当接配置されている。導電板１３６は、ステム部１１６に立設させたステムピン１３８の先端部分に電気的に接続されている。なお、このステムピン１３８も、ステム部１１６とベース部１２２との間で露出しないよう、セラミックス等からなる電気絶縁性のチューブ１３９により包囲されている。導電板１３６には、支持部１３０の開口１３４の内径よりも小さな円形の開口１４０が形成されており、導電板１３６が支持部１３０に固定された状態において、この開口１４０は支持部１３０の開口１３４と同軸に配置され、放電路の一部を形成する。
【００３０】
導電板１３６の上面の中央には、陽極部１２４からの放電路を狭窄ないしは制限させるために、金属から作られた放電路制限部１２８が、前記の開口１３４，１４０と同軸となるよう、溶接固定されている。従って、この放電路制限部１２８へは、導電板１３６及びステムピン１３８を介して外部からの給電が可能となっている。
【００３１】
この放電路制限部１２８は、第１の実施形態に係る放電路制限部２８、すなわち図２に示すものと実質的に同等のものである。従って、同一符号を用い、図２を参照して簡単に説明するならば、この放電路制限部１２８は、一端にフランジ部４２が形成された円筒体であり、突出し部４４の外径Ｄは好ましくは１．０〜２．０ｍｍの範囲内とされ、突出し部４４の高さをＨとした場合、突出し部４４の外径Ｄとの関係Ｄ／Ｈは好ましくは０．５〜２．０の範囲内とされている。また、放電路制限部１２８における貫通孔１４６の小孔部４８の内径ｄは０．５ｍｍ程度とされ、拡径孔部１５０の深さ（長さ）Ａは好ましくは０．５〜１．３ｍｍの範囲内、開口角度θは好ましくは６０°〜９０°の範囲内とされている。
【００３２】
また、発光部組立体１２０は、光出射窓１１８側で光路から外れた位置に配置された陰極部１５２を有している。この陰極部１５２は、熱電子を発生させるためのものであり、具体的には、管軸方向に延設されたタングステン製のコイル上に電子放射物質を塗布して構成されている。このような陰極部１５２は、図示しないが、ステム部１１６に立設させたステムピンの先端部分に接続ピンを介して電気的に接続され、外部から給電が可能とされている。
【００３３】
更に、発光部組立体１２０は、陰極部１５２から出るスパッタ物又は蒸発物を光出射窓１１８に付着させないよう、金属製の放電整流板１５４と前面カバー１５６とを有している。放電整流板１５４は陰極部１５２を囲むようにして配置され、支持部１３０の上面に固定されている。前面カバー１５６は、放電整流板１５４に対向して支持部１３０の上面に固定されている。放電整流板１５４と前面カバー１５６との間には、放電光を通過させる光通過口１５８が形成されている。また、放電整流板１５４の、前面カバー１５６に面する部分には開口１６０が形成されており、この開口１６０を陰極部１５２で発生された熱電子が通過するようになっている。
【００３４】
以上のように構成された第２の実施形態に係るガス放電管１１０は、ヘッドオン型とサイドオン型の違いはあるものの、第１の実施形態に係るガス放電管１０と実質的に同じ放電路制限部１２８を有し、その他の部分においても機能的に違いはないため、始動放電に要する電圧は低くてすみ、確実に始動放電、そしてアーク放電が発生するという効果を奏する。また、形成されたアークボールも安定した良好な形状となるため、放射光は高輝度で光量も豊かな安定したものとなる。なお、ガス放電管１１０の動作の詳細な説明については、前述のガス放電管１０と同様であるので、省略する。
【００３５】
［第３の実施形態］
図４は、本発明によるガス放電管の第３の実施形態を、軸線（管軸）方向に直角な方向に切断して示す端面図である。第３の実施形態に係るガス放電管２１０は、第１の実施形態に係るガス放電管１０と同様、サイドオン型の重水素ランプであり、この放電管２１０は、重水素ガスが数百Ｐａ程度封入されたガラス製の密封容器２１２を有している。この密封容器２１２は、一端側を封止した円筒状の側管部２１４と、この側管部２１４の他端側を封止するステム部（図示せず）とからなり、側管部２１４の一部が光出射窓２１８として利用されている。この密封容器２１２内には発光部組立体２２０が収容されている。
【００３６】
発光部組立体２２０は、セラミックス等からなる電気絶縁性のベース部２２２を有している。ベース部２２２は、光出射窓２１８に対向して配置されており、その上面には凹部２２３が形成されている。ベース部２２２の上方には平板状の陽極部２２４が配置されており、この陽極部２２４の背面には、ステム部に立設させて管軸方向に延在するステムピン２２６の先端部分が固着され、電気的に接続されている。
【００３７】
また、発光部組立体２２０は、セラミックス等からなる板状の放電路制限部支持部（支持部）２３０を有している。この支持部２３０は、ベース部２２２の外周部の上端面に当接させるようにして固定されている。支持部２３０の中央の下面には凹部２３２が形成されている。この凹部２３２の底面（下向きの面）及び側面は、陽極部２２４から所定の間隔が開けられている。また、支持部２３０の中央には開口２３４が形成されている。
【００３８】
支持部２３０の開口２３４には、陽極部２２４からの放電路を狭窄させるために、金属から作られた円筒状の放電路制限部２２８が取り付けられている。取付手段としては、放電路制限部２２８を開口２３４に嵌合させ、溶接等によって固定する方法があるが、第３の実施形態では、図５に明示するように、開口２３４にめねじ２３５を形成すると共に、放電路制限路２２８の端部の外面におねじ２３７を形成して、両者を螺合させることで取り付けている。
【００３９】
図５に示すように、放電路制限部２２８の一部が支持部２３０の開口２３４にねじ込まれるため、図２に示す放電路制限部２８の突出し部４４に相当する部分２４４は支持部２３０の上面から突き出した部分となる。この突出し部２４４の外径Ｄは、図２の放電路制限部２８と同様に、１．０〜２．０ｍｍの範囲内にあることが好ましい。また、突出し部２４４の高さをＨとした場合、突出し部２４４の外径Ｄとの関係Ｄ／Ｈは０．５〜２．０の範囲内にあるようにすることが好適である。更に、放電路制限部２２８には、放電路を狭窄するための貫通孔２４６が形成されており、この貫通孔２４６は、内径が一定の小孔部２４８と、上方にかけて円錐状に拡径された拡径孔部２５０とから構成されている。小孔部２４８は主として放電路を狭窄する部分であり、内径ｄは０．５ｍｍ程度とされている。拡径孔部２５０はアークボール形成用であり、その深さＡは０．５〜１．３ｍｍの範囲内にあり、開口角度θについては６０°〜９０°の範囲内にあるようにすることが好ましい。
【００４０】
更に、支持部２３０の凹部２３２の側面と底面に沿って導電板２３６が配置されている。導電板２３６は、ステム部に立設させたステムピン２３８の先端部分に電気的に接続されている。この導電板２３６には、支持部２３０の開口２３４と整列する開口２４０が形成されている。導電板２３６の開口２４０を画している部分は放電路制限部２２８の下端に電気的に接続されている。従って、この放電路制限部２２８へは、導電板２３６及びステムピン２３８を介して外部から給電が可能となっている。
【００４１】
また、発光部組立体２２０は、光出射窓２１８側で光路から外れた位置に配置された陰極部２５２を有している。陰極部２５２は、図示しないが、ステム部に立設させたステムピンの先端部分に接続ピンを介して電気的に接続され、外部から給電が可能とされている。
【００４２】
更に、発光部組立体２２０は、陰極部２５２から出るスパッタ物又は蒸発物を光出射窓２１８に付着させないよう、陰極部２５２を囲む金属製の放電整流板２５４と、これに並設された前面カバー２５６とを有している。これらは支持部２３０の上面に固定されており、両者間には、放電光を通過させる光通過口２５８が形成されている。また、放電整流板２５４には、陰極部２５２で発生された熱電子を通過させるための開口２６０が形成されている。
【００４３】
この第３の実施形態に係るガス放電管２１０を点灯させる場合は、第１の実施形態に係るガス放電管１０と同様に、放電前の２０秒程度の間に陰極用外部電源（図示せず）からステムピン（図示せず）を介して１０Ｗ前後の電力を陰極部２５２に供給して、陰極部２５２を予熱させ、次いで、陰極部２５２と陽極部２２４との間に主放電用外部電源（図示せず）からステムピン２２６を介して１６０Ｖ程度の電圧を印加して、アーク放電の準備を整える。その後、トリガ用外部電源（図示せず）から放電路制限部２２８と陽極部２２４との間にステムピン２３８，２２６を介して所定の電圧を印加すると、陰極部２５２と、陰極部２５２の側に突き出した形状とした放電路制限部２２８の突出し部２４４の先端との間で始動放電が発生する。このようにして始動放電が発生すると、陰極部２５２と陽極部２２４との間で、主放電用外部電極による主放電が発生し、その後は、陰極部２５２の温度が最適となるように陰極用外部電源からの電力を調整する。これによって陰極部２５２と陽極部２２４との間で主放電が維持されると共に、放電路制限部２２８における突出し部２４４の拡径孔部２５０内にアークボールが形成される。
【００４４】
第３の実施形態に係る放電路制限部２２８の突出し部２４４の外径Ｄ、外径Ｄと高さＨとの関係Ｄ／Ｈ、円錐形状の拡径孔部２５０の深さＡ、開口角度θは、前述の放電路制限部２８，１２８のものと同様であるので、始動放電発生のための始動電圧を低下させることが可能となり、また、アークボールを安定した良好な形状とすることができ、従って、出射される光の輝度や光量も安定したものとなる。
【００４５】
【発明の効果】
以上述べたように、本発明によるガス放電管は、放電を狭窄させる放電路制限部を有するため高輝度が得られ、しかも、放電路制限部の長さに拘わらず、その特殊な形状により、始動電圧を低下させることができ、始動放電の発生が容易となる。そして、始動放電が容易に起こるため、主放電も確実に発生させることが可能となる。更に、放電路制限部の形状により、出射光の輝度や光量も安定したものとなる。
【図面の簡単な説明】
【図１】本発明によるガス放電管の第１の実施形態を示す端面図である。
【図２】図１のガス放電管における放電路制限部を拡大して示す断面図である。
【図３】本発明によるガス放電管の第２の実施形態を示す端面図である。
【図４】本発明によるガス放電管の第３の実施形態を示す端面図である。
【図５】図４のガス放電管における放電路制限部を拡大して示す断面図である。
【符号の説明】
１０，１１０，２１０…ガス放電管、１２，１１２，２１２…密封容器、１８，１１８，２１８…光出射窓、２０，１２０，２２０…発光部組立体、２４，１２４，２２４…陽極部、２８，１２８，２２８…放電路制限部、３０，１３０，２３０…放電路制限部支持部、４６，１４６，２４６…貫通孔、４８，２４８…小孔部、５０，１５０，２５０…拡径孔部、５２，１５２，２５２…陰極部。
【図１】
2004265625.tif 000003
【図２】
2004265625.tif 000004
【図３】
2004265625.tif 000005
【図４】
2004265625.tif 000006
【図５】
2004265625.tif 000007